Podtech/llm-jp-corpus-v4-ja_patent huggingface dataset:
(57)【要約】      （修正有）【課題】マットやクッションの寝心地を備え、収納にかさばらないペット用のベッドを提供する。【解決手段】防水で弾力のある厚めで丈夫なビニール素材などを用い、底面部分２は積層状態に形成し、側面部分３は筒状で底面部分に比べ高く膨らむように形成し、側面部分が底面部分の全周と接合した構造で深さの浅い箱状に形成し、空気注入口を設け、付属でベッド本体表面全体を上から覆い被せられ、全周にゴム入りのボックスシーツのベッドカバーを設けたことを特徴としたペット用のベッド１。【選択図】図１−（ａ）
2015133914.tif 000002
【特許請求の範囲】
【請求項１】
底面部分は積層状態に形成し、側面部分は筒状で底面部分に比べ高く膨らむように形成した構造で、空気注入口を設けたことを特徴としたペット用ベッド。
【請求項２】
ポケットを備えたベッドカバーを付属としたことを特徴とした請求項１に記載のペット用ベッド。
【発明の詳細な説明】
【技術分野】
【０００１】
本発明は、ペット用ベッドに関するものである。          
【背景技術】
【０００２】
従来、ペット用ベッドとして、マット状のものやマットを２枚重ね寝袋状にしたもの(特許文献１参照)や円形のクッションに屈曲自在な伸縮性筒状の壁を備えたベッド(特許文献２参照)も知られている。      
【先行技術文献】
【特許文献】
【０００３】
【特許文献１】特許公開２００９−２９６８９４号  公報
【特許文献２】登録実用新案第３１０５４６９号    公報
【発明の概要】
【発明が解決しようとする課題】
【０００４】
従来、ペット用ベッドの形状は様々だが、マットやクッションの素材のものが多く、
ベッドが汚れた際、洗濯は行えるが速乾性がなく、洗い替えのベッドが必要となり収納にかさばってしまう。又マットやクッションの素材のベッドは、洗濯を繰り返すうちに中の綿が偏り、ベッドの風合いが変わってしまうことも少なくない。
ペットにとって、季節に合わせた素材でマットやクッションの寝心地を備え、汚れたらすぐに洗濯ができ、収納にかさばらないベッドがより望ましい。
本発明は、以上の問題点を解決されるためのものである。
【課題を解決するための手段】
【０００５】
防水で弾力のある厚めで丈夫なビニール素材などを用いて、ベッドの本体を形成する。ベッドは底面部分と側面部分で構成された深さの浅い箱状に形成するのが、望ましい。底面部分は積層状態にして厚さ数ミリの素材を張り合わせて形成し、側面部分は筒状に形成し、底面部分の全周と接合した構造とする。ベッドの縁となる側面部分は、ペットが横たわり頭を乗せて休めるよう底面部分に比べ、高く膨らむように形成する。ベッドの底面部分の形状は、円形でも四角形でも箱状が形成されるのであれば、どんな形状でも構わない。
【０００６】
ベッドの底面部分裏側と側面部分外側下方にはそれぞれ空気注入口を設ける。空気注入口には空気漏れを防ぎ、空気を注入しやすいよう、空気吹き込みの逆止弁を設ける。空気注入口からそれぞれ空気を注入すると、底面部分と側面部分が膨らみベッドが形成される。
【０００７】
ベッドには、付属でベッドカバーを設ける。ベットカバーは、ベッドの底面部分に合わせた形状で側面部分を含めたベッド本体表面全体を上から覆い被せられるよう大きめに形成し、全周にゴム入りのボックスシーツとする。ベッドカバーは、綿素材でもパイル素材でもフリースでもボア素材でも、何でも構わないが洗濯可能な素材が望ましい。
【発明の効果】
【０００８】
(イ)本発明により、ベッド本体が汚れてもすぐに拭き取ることができ、ベッドカバーは汚れたら、その都度洗濯することができ衛生的である。
(ロ)ベッドの風合いは変わらず、他に洗い替えのベッドを買い備える必要がなく、経済的である。
(ハ)ベッド本体の空気を抜くことで、平面状にして折り畳み、かさばらず携帯でき、移動先でもベッドが使用できる。
(ニ)ベッドカバーの素材を変えることで、季節に合わせた快適なベッドをペットが楽しめる。
【図面の簡単な説明】
【０００９】
【図１−（ａ）】(a)は本発明における第１の具体例の表面図
【図１−（ｂ）】(b)は第１の具体例の裏面図
【図２】本発明の第１の使用例を示す図
【図３】他の実施形態を示す表面図
【発明を実施するための形態】
【００１０】
以下、図１から図２を用いて、本発明における第１の実施の形態について説明する。
防水で弾力のある厚めで丈夫なビニール素材などを用いて、ベッド(１)の本体を形成する。ベッド(１)は底面部分(２)と側面部分(３)で構成された深さの浅い箱状に形成するのが望ましい。底面部分(２)は積層状態にして厚さ数ミリの素材を張り合わせて形成し、側面部分(３)は筒状に形成し、底面部分(２)の全周と接合した構造とする。ベッド(１)の縁となる側面部分(３)は、ペットが横たわり頭を乗せて休めるよう底面部分(２)に比べ、高く膨らむように形成する。ベッド(１)の底面部分(２)の形状は、図３に示すような円形でも四角形でも箱状が形成されるのであれば、どんな形状でも構わない。
【００１１】
ベッド(１)の底面部分裏側と側面部分外側下方にはそれぞれ空気注入口(４)を設ける。空気注入口(４)には、空気漏れを防ぎ空気を注入しやすいよう空気吹き込みの逆止弁を設ける。空気注入口(４)からそれぞれ空気を注入すると、底面部分(２)と側面部分(３)が膨らみベッド(１)が形成される。ベッド(１)を使用しない際や移動時は、空気注入口(４)からそれぞれ空気を抜き、平面にして折り畳む。また、ベッド(１)の底面部分裏側にはゴムなどを利用した滑り止めが付いていることが望ましい。
【００１２】
ベッド(１)には、付属でベッドカバー(５)を設ける。ベッドカバー(５)は、ベッド(１) の底面部分(２)に合わせた形状で側面部分(３)を含めたベッド本体表面全体を上から覆い被せられるよう大きめに形成し、全周にゴムが入ったボックスシーツを使うことで容易に一体化することができる。ベッドカバー(５)は、綿素材でもパイル素材でもフリースでもボア素材でも、何でも構わないが洗濯可能な素材が望ましい。
【００１３】
ベッドカバー(５)には、底面部分側となる裏面にポケット(６)を設ける。ポケット(６)には夏場、冷却ジェルシートなどを入れ保冷効果をもたらしたり、冬場は保温ジェルシートや使い捨てカイロなどを入れ保温効果をもたらすこともできる。ポケット(６)は、ペットが体温調整のためベッド上で移動できるよう、底面部分側の裏面全体に設けるのではなく、裏面の約半分位のスペースに設けることが望ましい。
【００１４】
本発明における第１の具体例では、接合されている底面部分(２)と側面部分(３)がそれぞれ別個で形成されているため、空気注入口(４)もそれぞれに設けられているが、底面部分(２)と側面部分(３)を一体化させて形成した場合は、空気注入口(４)はどちらかに一つ設けることでもベッド(１)は成り立つ。
【符号の説明】
【００１５】
１、ベッド    ２、底面部分    ３、側面部分    ４、空気注入口    ５、ベッドカバー    ６、ポケット
【図１−（ａ）】
2015133914.tif 000003
【図１−（ｂ）】
2015133914.tif 000004
【図２】
2015133914.tif 000005
【図３】
2015133914.tif 000006
(57)【要約】【課題】提灯のシェード部の外観デザインにモダンを施し、提灯の台座デザインに斬新な形状デザインを施し、完成形の提灯型電気スタンドは本体に照明部材を接着し、折りたたまれた提灯はかさばらず、簡単に装着できる提灯型電気スタンドを提供する。【解決手段】２本脚の立脚部材と平板状の台座を接着し、２本脚の立脚部材の内側に照明部材を接着し立脚を強化し、より提灯の灯りが安定します。【選択図】図１
2015056393.tif 000002
【特許請求の範囲】
【請求項１】
平板状の台座と、２本脚の立脚部材と、照明部材と、上下に伸縮する提灯型シェードを有する提灯型電気スタンドであって、前記台座に、前記２本脚の立脚部材の端部を完全に固定し、前記２本脚の立脚部材の内側面に、照明部材を固定する固定手段と、前記２本脚の立脚部材の外側面に、前記上下に伸縮する提灯型シェードの上部開口部及び下部開口部を固定する固定手段を有することを特徴とする、提灯型電気スタンド。
【請求項２】
前記２本脚の立脚部材の各脚間の距離が、前記上下に伸縮する提灯型シェードの上部開口部及び下部開口部の直径よりも広いことを特徴とする請求項１に記載の提灯型電気スタンド。
【発明の詳細な説明】
【技術分野】
【０００１】本発明は上下に伸縮する提灯型シェードと、それを固定する行灯を立脚一体化させた自立型の提灯型電気スタンドに関わる。
【背景技術】
【０００２】従来提灯は葬祭やお盆等で灯明を灯すために用いられていたが、昨今は和風ランプシェードとしてモダンデザインが施されインテリア照明としても認知されつつある。
【先行技術文献】
【特許文献】
【０００３】
【特許文献１】特開２００４−２９６１６８号公報
【特許文献２】特開２０１３−４５１２号公報
【発明の概要】
【発明が解決しようとする課題】
【０００４】インテリア照明として認知されてる提灯デザインの進歩は他のデザイン家具に比べて変化・発展に乏しく現在に至ってる。本発明は上記の問題点を解決しようとするもので、提灯の外観デザインにモダンを施し、提灯をかぶせるの行灯デザインに斬新な形状デザインを施し、完成形の提灯型電気スタンドは、平板状の台座と２本脚の立脚部材を完全に固定した行灯に、照明部材を固定一体化させ、コード付きクリップと、折り畳まれた提灯はかさばらずに済むことにある。特許文献２にあるような行灯では台座と脚部材の留め具が、転倒した際、外れる恐れが生じる。
【課題を解決するための手段】
【０００５】平板状の台座と、２本脚の立脚部材と、照明部材と、上下に伸縮する提灯型シェードを有する提灯型電気スタンドであって、前記台座に、前記２本脚の立脚部材の端部を完全に固定し、前記２本脚の立脚部材の内側面に、照明部材を固定する固定手段と、前記２本脚の立脚部材の外側面に、前記上下に伸縮する提灯型シェードの上部開口部及び下部開口部を固定する固定手段を有することを特徴とする、提灯型電気スタンド。
【発明の効果】
【０００６】以上の説明のように発明すれば材料も少なく組み立てもシンプルで簡単である。ネジを使用しないで台座と脚部材の接着だけで行灯を立体化させて提灯型電気スタンドを完成させ、上下に伸縮する提灯型シェードの真下の台座を平板状にすることにより提灯型電気スタンドの立脚を安定化させ、他との差別化にもなり、和のテイストに加えモダンでユニークな印象を得られる。今回使用する材料は成形合板であるが、竹でも金属でも実施は可能である。特徴は、上下に伸縮する提灯型シェードを、２本脚の立脚部材で固定すること、前記２本脚の立脚部材と照明部材を一体化させたこと、台座の着地面が平板状であること、台座と立脚部材を完全固定することにある。
【図面の簡単な説明】
【０００７】
【図１】この発明の実施の形態の１例を示す提灯型電気スタンドの斜視図である。
【発明を実施するための形態】
【０００８】以下図を参照しながら形態を説明する。図中、１は提灯型電気スタンドで、スタンド本体２に、上下に伸縮する提灯型シェード３を保持させて成る。上下に伸縮する提灯型シェード３はいも虫状の外観を有し、この骨組体の外側に、螺旋状に巻き回した弾性線材４に対し、和紙５を貼付けて、上部開口部６から下部開口部７に至る胴部を形成した、上下に伸縮可能な構造を有する。
次にスタンド本体２の構成部材について説明すると、２本脚の立脚部材８が平板状の台座９に対し垂直に立脚するように嵌め合わせて接着します。そして２本脚の立脚部材８の胴体部内側の溝１４、１５に接着された照明部材１０に対し、照明部材に空けた正円１０−Ａの下から、電球がねじ込まれたコード付きクリップ型ソケット部のクリップ部１３を閉じて押し入れ、丸い穴の中で開いて固定します。そして上下に伸縮する提灯型シェード３の上部開口部６を２本脚の立脚部材８の上溝１１に、上下に伸縮する提灯型シェード３の下部開口部７を２本脚の立脚部材８の下溝１２に嵌め合わせて提灯型電気スタンドは完成します。
【０００９】垂直立脚を可能にする為の工夫は、２本脚の立脚部材８と、平板状の台座９の接着と、照明部材の接着にあります。平板状の台座９は底面全体で全重量を受け止めるので安定しており、ぐらつきはありません。
【００１０】Ｕ字状に曲げられた２本脚の立脚部材８の最上部は持ち運び、設置の為の取手にもなります。２本脚の立脚部材８の内側に入れられた溝１４、１５に対して照明部材を差し込み接着します。これで２本脚の立脚部材８と平板状の台座９の嵌合部に対し更に内側から外に力が加わることによって、より安定した立脚が可能になり、照明部材とソケット部が安定することで提灯の灯りが安定し、より安全が確保される。
更なる特徴的発明として上げれば、台座と立脚部材を完全接着することにより、不安定な２本脚での立脚を解決し、その２本脚の立脚部材８の中央部に、照明部材１０を一体化させ、その照明部材１０に、照明部材に空けた正円１０−Ａという構造だけで、電球を点灯させるという極めてシンプルな発明に加え、材料と構造と外観デザインを極限までシンプルにしたことにある。
【００１１】上下に伸縮する提灯型シェードの開口部６、７は正円を元として上下左右に伸縮するが、正円に戻ろうとする性質がある為、２本脚の立脚部材８に上下に伸縮する提灯型シェード３を上からかぶせた時に、２本脚の間の距離が上下に伸縮する提灯型シェード３の開口部正円の直径よりわずかに長ければ、上下に伸縮する提灯型シェード３の開口部は正円に戻ろうとしてわずかに楕円形をとどめて止まり、２本脚の立脚部材８のそれぞれ上下２点づつ４点に、溝及び凹みを有すれば上下に伸縮する提灯型シェード３は、わずかな楕円形をとどめて安定して静止することを特徴とする。
【符号の説明】
【００１２】１…提灯型電気スタンド、２…スタンド本体、３…上下に伸縮する提灯型シェード、４…弾性線材、５…和紙、６…提灯の上部開口部、７…提灯の下部開口部、８…２本脚の立脚部材、９…平板状の台座、１０…照明部材、１０−Ａ…照明部材に空けた正円、１１…２本脚の立脚部材の上溝、１２…２本脚の立脚部材の下溝、１３…クリップ型ソケット部のクリップ部、１４…２本脚の立脚部材の胴体部内側溝右部、１５…２本脚の立脚部材の胴体部内側溝左部
【図１】
2015056393.tif 000003